(57)【要約】【課題】一定寸法のナイロンコードを使用するナイロンコード式刈払機において、ナイロンコードが脱落しないカッターヘッド本体の構造を実現する。【解決手段】円形のカッターヘッド本体１の内部に、側面開口３と上面開口４に連通しナイロンコード２が通過するコード通路５を形成する。このコード通路５に側面開口３から内方へのナイロンコードの移動を許容し、側面開口から外方へのナイロンコードの移動を阻止する逆止爪６を設ける。カッターヘッド本体１は、皿状の下本体1Aと蓋状の上本体1Bとで構成し、下本体1Aに一定間隔でリブ７、８を立設するとともに、下本体の上面を上本体1Bで塞ぐことによってコード通路５を形成する。【選択図】  図１
0003187238.tif 000002
【実用新案登録請求の範囲】
【請求項１】
エンジンなどの動力によって回転駆動され、外方に向けて突出させて装着したナイロンコードによって草などの切断作業を行うナイロンコード式刈払機用カッターヘッドにおいて、
円形のカッターヘッド本体には、側面開口と上面開口に連通しナイロンコードが通過するコード通路を形成し、該コード通路に側面開口から内方へのナイロンコードの移動を許容し、側面開口から外方へのナイロンコードの移動を阻止する逆止手段を収蔵したことを特徴とするナイロンコード式刈払機用カッターヘッド。
【請求項２】
カッターヘッド本体は、皿状の下本体と下本体の上面を閉塞する蓋状の上本体とで構成し、下本体には側壁の一部を切除した側面開口と、該側面開口に続けて一定間隔で立設した一対のリブを設け、上本体には上面開口を穿設するとともに、上本体の裏面で前記下本体のリブの上面を塞ぐことによってナイロンコードを通過させることができるコード通路を形成することを特徴とする請求項１記載のナイロンコード式刈払機用カッターヘッド。
【請求項３】
下本体に形成する一対のリブは、その上端を上本体の裏面に密接させるとともに、前記一対のリブの間に該リブよりも低い中間リブを配置し、一対のリブと中間リブの上端と上本体裏面との間にナイロンコードを通過させることができる大きさのコード通路を形成することを特徴とする請求項２記載のナイロンコード式刈払機用カッターヘッド。
【請求項４】
下本体の中間リブは、側面開口から上本体の上面開口の対向位置に至るまでの間に、曲線的に高さを一旦低くし、上面開口との対向位置に向けてリブと同じ高さとなるまで曲線的に変化する窪み曲線部を形成するとともに、上本体の裏面に前記中間リブの窪み曲線部と対向する位置に、中間リブの上端との距離を略一定とするガイドリブを形成したことを特徴とする請求項３記載のナイロンコード式刈払機用カッターヘッド。
【請求項５】
側面開口から外方へのナイロンコードの移動を阻止する逆止手段は、コード通路の側方に軸支してバネの弾性によってコード通路上に回動させるとともに、先端がコード通路の側面に当接して係止される逆止爪であって、該逆止爪の先端部分は側面開口と対向する面を傾斜面に形成し、側面開口から挿入されるナイロンコードによって逆止爪がバネの弾性に抗して回動してナイロンコードの通過を許容し、ナイロンコードが側面開口から引っ張られるときは、バネの弾性によってナイロンコードをコード通路の側面に押圧し、かつナイロンコードの移動する力がナイロンコードを逆止爪とコード通路側面との間に引き込む力として作用し、ナイロンコードの側面開口方向への移動を阻止する請求項１ないし４のいずれかに記載のナイロンコード式刈払機用カッターヘッド。
【請求項６】
逆止爪の側面開口と対向する傾斜面は凸弧状とし、該傾斜面に一定間隔で複数の歯を形成したことを特徴とする請求項５記載のナイロンコード式刈払機用カッターヘッド。
【考案の詳細な説明】
【技術分野】
【０００１】
本考案は、エンジンなどの動力によって回転駆動されるカッターヘッドに、外方に向けて突出するナイロンコードを装着し、ナイロンコードの回転によって草などの切断作業を行うナイロンコード式刈払機用のカッターヘッドに関する考案である。
【背景技術】
【０００２】
刈払機には、回転駆動されるカッターヘッドに、外方に向けてナイロンコードを突出させ、高速回転をするナイロンコードによって雑草の切断作業を行うナイロンコード式刈払機が知られている。
ナイロンコード式刈払機は、巻回した円形断面のナイロンコードを順次繰り出して使用するのが一般的な構造であるが、一端に太径とした抜け止めを形成した一定寸法のナイロンコードを使用する思想が、特許文献１や２に開示されている。
また、特許文献２には、ナイロンコードの断面形状を方形とし、方形断面の対向する稜線部分に、一定間隔ごとに凹弧状の切欠部を形成することによって鋸歯状の切断刃を形成する思想が記載されている。
【先行技術文献】
【特許文献】
【０００３】
【特許文献１】特開２００２−３５４９２０号公報
【特許文献２】実用新案登録第３１６５１０７号公報
【考案の概要】
【考案が解決しようとする課題】
【０００４】
特許文献１や特許文献２に記載された発明は、抜け止め手段を施した一定寸法のナイロンコードを使用するものであるが、刈払いの使用状況によっては、抜け止めのストッパーが破損してナイロンコードが抜け出し、周辺に飛散する危険性があった。
【０００５】
本考案は、装着した一定寸法のナイロンコードが抜け出さないように、しっかりと装着することができるとともに、ナイロンコードの一端に抜け止めのための構造を加工する必要がないナイロンコード式刈払機用カッターヘッドの構造を実現することを目的とするものである。
また、特許文献２に記載されている、方形断面のナイロンコードのように切り刃となる凹弧状の切欠部を形成したナイロンコードを使用する場合に、特別なガイド構造を採用することなくナイロンコードの方向が一定となり、安定した刈払いの機能を実現することができるナイロンコード式の刈払機用カッターヘッドを実現することを目的とするものである。
【考案の開示】
【課題を解決するための手段】
【０００６】
本考案は、エンジンなどの動力によって回転駆動され、外方に向けて突出させて装着したナイロンコード２によって草などの切断作業を行うナイロンコード式刈払機用カッターヘッドに関するものである。
請求項１記載の考案は、円形のカッターヘッド本体１の内部に、側面開口３と上面開口４に連通しナイロンコード２が通過するコード通路５を形成し、このコード通路５に側面開口３から内方へのナイロンコード２の移動を許容し、側面開口３から外方へのナイロンコード２の移動を阻止する逆止手段を収蔵したことを特徴とするナイロンコード式刈払機用カッターヘッドである。
【０００７】
請求項２記載の考案は、請求項１記載の発明において、カッターヘッド本体１を、皿状の下本体1Aと下本体の上面を閉塞する蓋状の上本体1Bとで構成し、下本体1Aには側壁の一部を切除した側面開口３と、該側面開口３に続けて一定間隔で立設した一対のリブ７、８を設け、上本体1Bには上面開口４を穿設するとともに、上本体1Bの裏面で前記下本体1Aのリブ７、８の上面を塞ぐことによってナイロンコード２を通過させることができるコード通路５を形成することである。
【０００８】
請求項３記載の考案は、下本体1Aに形成する一対のリブ７、８は、その上端を上本体1Bの裏面に密接させるとともに、一対のリブ７と８の間にリブ７、８よりも低い中間リブ９を配置し、一対のリブ７、８と中間リブ９の上端と上本体1B裏面(底面)との間にナイロンコード２を通過させることができる大きさのコード通路５を形成することである。
【０００９】
請求項４記載の考案は、中間リブ９の形状に関するものである。下本体1Aの中間リブ９は、側面開口３から上本体1Bの上面開口４の対向位置に至るまでに曲線的に一旦高さを低くし、上面開口４との対向位置に向けてリブ７、８と同じ高さとなるまで曲線的に変化する窪み曲線部10を形成する。そして、上本体1Bの裏面には、中間リブ９の窪み曲線部10と対向する位置に、中間リブ９の上端との距離を略一定とするガイドリブ11を形成することである。
【００１０】
請求項５記載の考案は、側面開口から外方へのナイロンコードの移動を阻止する逆止手段の具体的構造に関するものである。
ナイロンコード２の移動を阻止する逆止手段は、コード通路５の側方に軸支してバネ12の弾性によってコード通路５上に回動させるとともに、先端がコード通路の側面、具体的にはリブ８に当接して係止される逆止爪６である。この逆止爪６の先端部分は側面開口３と対向する面を傾斜面に形成し、側面開口３から挿入されるナイロンコード２によって逆止爪６がバネ12の弾性に抗して回動してナイロンコードの通過を許容し、ナイロンコード２が側面開口３から引っ張られるときは、バネ12の弾性によってナイロンコード２をコード通路の側面に押圧し、かつナイロンコードの移動する力がナイロンコード２を逆止爪６とコード通路側面との間に引き込む力として作用し、ナイロンコードの側面開口方向への移動を阻止することである。
【００１１】
請求項６記載の考案は、前記請求項５記載の考案を実施する上において、逆止爪６の側面開口３と対向する傾斜面を凸弧状の傾斜面とし、この傾斜面に一定間隔で複数の歯13を形成することである。
【考案の効果】
【００１２】
請求項１記載の本考案ナイロンコード式刈払機用カッターヘッドによれば、円形のカッターヘッド本体１の側面開口３から外方に突出するナイロンコードは、側面開口３から内方へのナイロンコード２の移動を許容し、側面開口３から外方へのナイロンコード２の移動を阻止する。したがって、カッターヘッド本体を高速で回転させると、ナイロンコードには遠心力によってナイロンコードを側面開口３方向に移動させようとする力が作用する。しかしながら、カッターヘッド本体１に収蔵した逆止手段によってナイロンコード２の抜け出しが阻止されるため、安心して刈払い作業を行うことができる。ナイロンコードが磨滅した場合は、ナイロンコード２を上面開口４から抜き出して、改めて側面開口３から挿入する。
【００１３】
請求項２記載の考案によれば、皿状の下本体1Aと下本体の上面を閉塞する蓋状の上本体1Bとを組み合わせることによって、コード通路を備えたカッターヘッドを簡単に実現することができる。コード通路５は、一対のリブ７、８と上本体1Bの裏面で囲まれた空間として形成される。
請求項３記載の考案によれば、請求項２記載の考案を実施する上において、一対のリブ７と８の間にリブ７、８よりも低い中間リブ９を配置することによって、ナイロンコード２をコード通路内において、より安定させることができる。すなわち、リブ８と中間リブ９の間にナイロンコードの一部が入り込み安定的に支持される効果がある。
【００１４】
請求項４記載の考案によれば、請求項３記載の考案を実施することによって形成されるコード通路５が、中間リブ９の窪み曲線部10と上本体1Aのガイドリブ11の存在によって、側面開口３から挿入されたナイロンコード２を上面開口４に向けて円滑に移動させることができる効果がある。
【００１５】
請求項５及び請求項６記載の考案によれば、コード通路５に側面開口３から内方へのナイロンコード２の移動を許容し、側面開口３から外方へのナイロンコードの移動を確実に阻止する逆止構造を比較的簡単な構造で実施することができる。
【図面の簡単な説明】
【００１６】
【図１】図１は、本考案ナイロンコード式刈払機用カッターヘッドの上本体と下本体を分離させた状態の斜視図、
【図２】図２は、カッターヘッドの下本体の平面図、
【図３】図３は、カッターヘッドの上本体の底面図、
【図４】図４は、カッターヘッド下本体のコード通路をナイロンコードが通過する状態を示す平面図、
【図５】図５(ａ)は下本体と上本体を分離させた状態、図５(ｂ)は下本体と上本体を組み立て、ナイロンコードを挿入した状態の、図４のV−V線断面図、
【図６】図６は、図４のVI−VI線断面図、
【図７】図７は、ナイロンコードを装着した使用状態を示すナイロンコード式刈払機用カッターヘッドの斜視図である。
【考案を実施するための最良の形態】
【００１７】
以下、本考案に係るナイロンコード式刈払機用カッターヘッドの実施形態を添付の図面に基づいて説明する。
図１は、本考案のナイロンコード式刈払機用カッターヘッドの分解斜視図、
図２は、下本体と上本体で構成するカッターヘッド本体の下本体の平面図、図３は、上本体の底面図である。
【００１８】
カッターヘッド本体１は、刈払機の先端部分に、エンジンやモータによって回転駆動されるように取り付けて使用する。
図７に示すように、エンジンやモータなどによって回転駆動されるカッターヘッド本体１には、対向する二箇所に、カッターとなるナイロンコード２を取り付け、ナイロンコード２の先方をカッターヘッド本体１の外方に突出させ、カッターヘッド本体１を高速で回転させることによってナイロンコード２で雑草などの切断を行なう。
【００１９】
刈払機本体の先端部分に取り付けられるカッターヘッド本体１は、図２ないし図６に示すように、全体を円形としその上面に刈払機本体との取付け部14を上方に突出させている。
カッターヘッド本体１は、側面開口３と上面開口４を備え、側面開口３と上面開口４の間に、ナイロンコード２が通過するコード通路５をするものであれば、一体に形成するものであってもよい。しかしながら、本考案の図示実施形態においては、図１に示すようにカッターヘッド本体１を、皿状の下本体1Aと下本体の上面を閉塞する蓋状の上本体1Bとで構成している。
【００２０】
下本体1Aには側壁の一部を切除した側面開口３と、側面開口３に続けて一定間隔で立設した一対のリブ７、８を設けている。上本体には上面開口４を穿設するとともに、上本体1Bの裏面で前記下本体1Aのリブ７、８の上面を塞ぐことによってナイロンコードを通過させることができるコード通路５を形成するようにしている。すなわち、下本体のリブ７、８は、少なくとも上本体1Bの上面開口４の対向位置に達するようにしている。上記、側面開口３から上面開口４の対向位置に達する一対のリブ７、８は、いずれも円形のカッターヘッド本体１の対向位置の二か所に設け、側面開口３は側面に対して斜め方向に形成している。したがって、ナイロンコード２は下本体1Aの側面開口３から放射方向ではなく、斜め方向に突出することになる。
【００２１】
下本体1Aの底面形状は、角張った皿形ではなく周辺部を傾斜面とし刈払い作業に際してカッターヘッド本体１を作業面に対して円滑に移動させることができるようにしている。したがって、下本体1Aを横切るように配置するリブ７、８は、その高さが変化するものであるが、上端は水平に形成し、上本体1Bを装着したときに、全長にわたってほぼ密着状態を実現することができるようにしている。下本体1Aと上本体1Bは図１に示すようにビス15、15によって強固に固定する。
【００２２】
リブ７と８の間には、中間リブ９を配置している。中間リブ９はリブ７、８よりも一定寸法低いものとし、リブ７、８の上端を上本体1Bの裏面で閉塞した場合に、一対のリブ７、８と中間リブ９の上端と、上本体1Bの裏面で囲まれた空間として一定の断面形状であって、長手方向に連続するコード通路５が形成される。したがって、側面開口３から挿入したナイロンコード２を円滑に移動させることができる。
【００２３】
中間リブ９は、一対のリブ７、８よりも一定寸法低いものであるが、側面開口３から上本体1Bの上面開口４の対向位置に至るまでの間に、曲線的に一旦高さが低くなり、上面開口４との対向位置に向けてリブ７、８と同じ高さとなるまで曲線的に変化する窪み曲線部10を形成している。同時に、上本体1Bの裏面には、中間リブ９の窪み曲線部10と対向する位置に中間リブ９の上端との距離を略一定とするガイドリブ11を形成する。(図５(ａ)参照)
このように、中間リブ10とガイドリブ11の高さを変化させるという、簡単な構造によって、側面開口３から挿入したナイロンコード２の先端をスムーズに上本体1Bに穿設した上面開口４に案内し、引出すことができる。(図５(ｂ)参照)
換言すれば、コード通路５を窪み曲線上に形成することができる。
【００２４】
下本体1A内には、コード通路５に挿入するナイロンコード２の逆止構造として逆止爪６を配置している。逆止爪６は、図２、図４に示すように、リブ７、８の一方のリブ７の側方に軸支しコード通路５上に回動させることができるようにしている。すなわち、リブ７の一部にリブを省略した開放部16を設け、側方に配置した逆止爪６が開放部16からコード通路５上に回動できるようにしている。開放部16は、リブ７を全高にわたって省略するものであってもよいが、図示実施形態のように、上部だけを省略し中間リブと同じ高さに形成しておくのが望ましい。(図６参照)これにより、逆止爪６を、コード通路５上に円滑に回動させることができる。また、図示実施形態においては、側方に配置する逆止爪６の外方を囲うように、リブ７を略コ字状に側方に延長させて逆止爪６の収容部17を形成している。
【００２５】
コード通路５の側方に配置する逆止爪６は、図６に示すように、その基端部を下本体1Aと一体に成型した支持軸18に支持させ、先方部分がコード通路５上に回動するようにしている。支持軸18の先端は、上本体1Bの裏面(底面)に形成した嵌合孔19、19に嵌合させる。したがって、下本体1Aと上本体1Bを組み立てた状態で支持軸18に支持した逆止爪６は確実に保持される。
逆止爪６は、バネ12によって先方が側面開口３方向に回動する方向に付勢されている。ただし、逆止爪６の大きさは、先端6aが対向位置のリブ８に当接して回動することができないものとしている。バネ12は、一端を下本体1Aに形成した逆止爪６の収容部17に支持し、他端を逆止爪６の一部に係合させることによって、逆止爪６を付勢している。
逆止爪６の先端は側面開口３と対向する面を傾斜面、具体的には凸弧状の傾斜面とし、ここに複数の歯13、13を形成している。
【００２６】
以上述べた構造のカッターヘッド本体１に、必要な寸法に切断した刈刃となるナイロンコード２を装着するには、側面開口３からナイロンコードの一端を挿入する。ナイロンコード２が挿入されていないときは、図２に示すようにコード通路５上に回動している逆止爪６の先端部分がリブ８に当接しコード通路５が、堰き止められている。この状態でナイロンコード２を押し込むと、図４に示すように逆止爪６がバネ12の弾性に抗して後方に回動してナイロンコード２の通過を許容する。側面開口３からの突出寸法が、適切な状態でナイロンコード２の挿入を中止することによって、図７に示すような状態でナイロンコード２の装着が完了する。
【００２７】
図７に示す状態のカッターヘッド本体を高速回転させて、ナイロンコード２で刈払い作業を行うと、遠心力及び刈払いの抵抗によって、ナイロンコードには側面開口３から抜け出そうとする力が作用する。このように、ナイロンコードに側面開口３方向の力が作用すると、逆止爪６に側面開口方向への回動力が作用し、ナイロンコード２がリブ８と逆止爪６との間に引き込まれて移動することができなくなる。このとき、図示実施形態のように、逆止爪６に歯13が形成されていると、確実にナイロンコードの抜け出しを防止することができる。
【００２８】
側面開口３から挿入したナイロンコード２の先端は、上面開口４から突出する。すなわち、ナイロンコード２は側面開口３から上面開口４に向けて、水平方向から垂直方向に方向を変えながら移動する。このとき、中間リブに窪み曲線部10が形成され、窪み曲線部に対応するガイドリブ11が設けられていることによって、ナイロンコード２は窪み曲線部に沿って、比較的円滑に移動し、容易に装着することができる。
【００２９】
本考案に係るカッターヘッドに使用するナイロンコードは、連続した長寸法のものではなく、予め一定寸法に切断したナイロンコードを使用する。新しいナイロンコードは少し長めとしておくのが好ましい。したがって、側面開口３からの突出寸法を最適とした場合に、余裕分のナイロンコード２は上面開口４から突出する。刈払い作業の結果、ナイロンコード２の側面開口３からの突出寸法が短くなった場合は、ナイロンコード２を、上面開口４から抜き出し、抜き出したナイロンコードを改めて適当な位置まで側面開口３から挿入して使用することができる。もちろん一回限りの使い捨てとすることもできる。
【００３０】
カッターヘッド本体１に装着するナイロンコード２の断面形状は、円形断面であってもよいが、方形断面のナイロンコードであって、対向する稜線部分に一定間隔ごとに凹弧状の切欠部を形成することによって鋸歯状の切断刃を形成するものを使用するのが望ましい。図６に示すように逆止爪６の弾性によって、ナイロンコード２を対向壁面であるリブ８に押圧することになる。したがって、方形断面のナイロンコードでは、ナイロンコードの面とリブ８の面で当接し、装着したナイロンコードが不安定に回転するようなことがなく、安定的に保持されるとともに完全な逆止効果を実現することができる。さらに、鋸歯状の切断刃によって大きな刈払い効果を実現することができる。
【符号の説明】
【００３１】
１…カッターヘッド本体、  1A…下本体、  1B…上本体、  ２…ナイロンコード、  ３…側面開口、  ４…上面開口、  ５…コード通路、  ６…逆止爪、  6a…先端、  ７、８…リブ、  ９…中間リブ、  10…窪み曲線部、  11…ガイドリブ、  12…バネ、  13…歯、  14…取付け部、  15…ビス、  16…解放部、  17…収容部、  18…支持軸、  19…嵌合孔。
【図１】
0003187238.tif 000003
【図２】
0003187238.tif 000004
【図３】
0003187238.tif 000005
【図４】
0003187238.tif 000006
【図５】
0003187238.tif 000007
【図６】
0003187238.tif 000008
【図７】
0003187238.tif 000009